(57)【要約】【課題】画像表示装置の画面の見かけ上の明るさを損なうことなくバックライトの光量を下げて、画像表示装置の消費電力を低減させる。【解決手段】マルチプレクサ５には、制御部１から入力されたＲＧＢ形式の画像信号と、当該ＲＧＢ形式の画像信号から、変換部２におけるＹＣｂＣｒ形式への変換、輝度強調部３における輝度信号成分Ｙの強調及び逆変換部４におけるＲＧＢ形式への逆変換を経て、輝度信号成分が強調された画像信号とが入力されている。制御部１は、バックライトの光量を通常よりも下げる省電力モードの設定がされたときに、バックライト用電源１０を制御してバックライトモジュール９の光量を下げ、同時に、輝度信号成分が強調された画像信号をマルチプレクサ５において選択し、フレームメモリ６における書き込み・読み出しを経て、ＬＣＤモジュール７に表示する。【選択図】  図１
2004246099.tif 000002
【特許請求の範囲】
【請求項１】
ＲＧＢ形式により表現された入力画像信号に基づき、バックライトにより照射された表示画面に画像を表示する画像表示方法において、
前記入力画像信号を輝度信号成分及び色差信号成分の画像信号に変換し、
前記輝度信号成分を強調してＲＧＢ形式の画像信号に逆変換し、
前記逆変換後の画像信号により前記表示画面に画像を表示して、前記バックライトの光量を下げる
ことを特徴とする画像表示方法。
【請求項２】
ＲＧＢ形式により表現された入力画像信号に基づき、バックライトにより照射された表示画面に画像を表示する画像表示方法において、
前記入力画像信号を輝度信号成分及び色差信号成分の画像信号に変換し、
前記輝度信号成分を強調してＲＧＢ形式の画像信号に逆変換し、
前記入力画像信号又は前記逆変換後の画像信号のいずれか１を選択し、前記入力画像信号が選択されたときは前記バックライトの光量を相対的に上げ、前記逆変換後の画像信号が選択されたときは前記バックライトの光量を相対的に下げて画像を表示する
ことを特徴とする画像表示方法。
【請求項３】
前記輝度信号成分の強調の程度を選択又は変更することができ、これに対応して前記バックライトの光量を選択又は変更することができるようにしたことを特徴とする請求項２記載の画像表示方法。
【請求項４】
ＲＧＢ形式により表現された入力画像信号に基づき、バックライトにより照射された表示画面に画像を表示する画像表示装置において、
前記入力画像信号を輝度信号成分及び色差信号成分の画像信号に変換する変換手段と、
前記輝度信号成分を強調する強調手段と、
前記強調された輝度信号成分及び前記色差信号成分の画像信号をＲＧＢ形式の画像信号に逆変換する逆変換手段とを備え、
前記逆変換手段から出力された前記画像信号により前記表示画面に画像を表示して、前記バックライトの光量を下げることを特徴とする画像表示装置。
【請求項５】
ＲＧＢ形式により表現された入力画像信号に基づき、バックライトにより照射された表示画面に画像を表示する画像表示装置において、
前記入力画像信号を輝度信号成分及び色差信号成分の画像信号に変換する変換手段と、
前記輝度信号成分を強調する強調手段と、
前記強調された輝度信号成分及び前記色差信号成分の画像信号をＲＧＢ形式の画像信号に逆変換する逆変換手段と、
前記入力画像信号又は前記逆変換後の画像信号のいずれか１を選択する選択手段と、
前記入力画像信号が選択されたときは前記バックライトの光量を相対的に上げ、前記逆変換後の画像信号が選択されたときは前記バックライトの光量を相対的に下げることができる調光手段とを
備えたことを特徴とする画像表示装置。
【請求項６】
前記強調手段は、前記変換手段から得た前記輝度信号成分の強調の程度を選択又は変更して前記逆変換手段に入力として与えることができ、前記調光手段は、前記強調の程度の選択又は変更に対応して前記バックライトの光量を選択又は変更することができるようにしたことを特徴とする請求項５記載の画像表示装置。
【請求項７】
前記変換手段、前記強調手段又は前記逆変換手段は、入力される画像信号のレベルに対応する番地に、出力される画像信号のレベルが書き込まれたメモリによって構成されたことを特徴とする請求項４乃至請求項６のいずれか１項記載の画像表示装置。
【請求項８】
本体と、前記本体に設けられ、ＲＧＢ形式により表現された入力画像信号に基づきバックライトにより照射された表示画面に画像を表示する画像表示装置とを有する電子機器において、前記画像表示装置は、
前記入力画像信号を輝度信号成分及び色差信号成分の画像信号に変換する変換手段と、
前記輝度信号成分を強調する強調手段と、
前記強調された輝度信号成分及び前記色差信号成分の画像信号をＲＧＢ形式の画像信号に逆変換する逆変換手段とを備え、
前記逆変換手段から出力された前記画像信号により前記表示画面に画像を表示して、前記バックライトの光量を下げることを特徴とする電子機器。
【請求項９】
本体と、前記本体に設けられ、ＲＧＢ形式により表現された入力画像信号に基づきバックライトにより照射された表示画面に画像を表示する画像表示装置とを有する電子機器において、前記画像表示装置は、
前記入力画像信号を輝度信号成分及び色差信号成分の画像信号に変換する変換手段と、
前記輝度信号成分を強調する強調手段と、
前記強調された輝度信号成分及び前記色差信号成分の画像信号をＲＧＢ形式の画像信号に逆変換する逆変換手段と、
前記入力画像信号又は前記逆変換後の画像信号のいずれか１を選択する選択手段と、
前記入力画像信号が選択されたときは前記バックライトの光量を相対的に上げ、前記逆変換後の画像信号が選択されたときは前記バックライトの光量を相対的に下げることができる調光手段とを
備えたことを特徴とする電子機器。
【請求項１０】
前記強調手段は、前記変換手段から得た前記輝度信号成分の強調の程度を選択又は変更して前記逆変換手段に入力として与えることができ、前記調光手段は、前記強調の程度の選択又は変更に対応して前記バックライトの光量を選択又は変更することができるようにしたことを特徴とする請求項９記載の電子機器。
【請求項１１】
前記変換手段、前記強調手段又は前記逆変換手段は、入力される画像信号のレベルに対応する番地に、出力される画像信号のレベルが書き込まれたメモリによって構成されたことを特徴とする請求項８乃至請求項１０のいずれか１項記載の電子機器。
【発明の詳細な説明】
【０００１】
【発明の属する技術分野】
本発明は画像表示方法、画像表示装置及び電子機器に係り、特に、バックライト照射形の画像表示装置を用いる場合に低消費電力化が可能な画像表示方法、画像表示装置及び電子機器に関する。
【０００２】
【従来の技術】
液晶表示装置のように携帯形の電子機器に多く用いられる画像表示装置においては、低消費電力化がきわめて重要であり、とりわけバックライトの光量を下げて消費電力を低減させることができれば効果が大きい。しかし、従来のバックライトの光量制御は、もっぱら画面の見やすさ向上という観点からなされており、外光の明るさに対して光量を適応させるというものであった（例えば特許文献１又は特許文献２参照。）。
【０００３】
これとは別に、画像信号処理の技術によって画像信号中の輝度信号成分を抽出し、画面の輝度を補正することも可能である（例えば特許文献３参照。）。この特許文献３に開示された発明は、画像信号を色成分で表現したＲＧＢ形式において各色成分に対して多元的に輝度を補正するのではなく、いったん輝度信号成分と色差信号成分で表現したＹＵＶ形式に変換した上で一元的に輝度を補正することにより、よりシンプルな回路で木目細かく輝度補正を行うことができるというもので、大画面のテレビジョン受像機における輝度むらの解消等を狙いとしている。
【０００４】
このほか、画像信号処理とバックライトの光量制御を行うものがある（例えば特許文献４参照。）。この特許文献４に開示された発明では、フレーム単位で画面の平均輝度を算出し、この値の大小に応じてバックライトの光量を上げ下げし、見かけ上の輝度の違いを拡大して映像のメリハリ感を強調するというもので、もともと低輝度の画面に対してバックライトの光量を下げることから、副次的にバックライトの消費電力低減が可能であるとしている。
【０００５】
【特許文献１】
特開平１０−１４８８０７号公報（第２乃至第４ページ、図６）
【０００６】
【特許文献２】
特開平９−３１１３１７号公報（第２乃至第４ページ、図１）
【０００７】
【特許文献３】
特開平１１−５５５９８号公報（第２乃至第５ページ、図１）
【０００８】
【特許文献４】
特開２００１−３４３９５７号公報（第１乃至第４ページ，第９ページ、図１５）
【０００９】
【発明が解決しようとする課題】
上記の従来の技術は、特許文献４に開示されたものを除いては、バックライトの光量を制御して消費電力を低減させるという目的を持たず、当然にその効果は得られない。また、特許文献４に開示された従来の技術は、映像の表現効果を高めることを狙いとするものであって、バックライトの光量制御による消費電力の低減は副次的な効果に過ぎず、しかも、表示される画面の平均輝度如何ではその低減効果があまり得られない場合がある。
【００１０】
したがって、本発明は、画面の平均輝度等によらず、バックライトの光量を適切に制御して画像表示装置の消費電力を低減することのできる画像表示方法及び当該画像表示装置並びにこれを用いる電子機器を提供することを目的とする。
【００１１】
【課題を解決するための手段】
上記目的を達成するために、本発明の画像表示方法は、ＲＧＢ形式により表現された入力画像信号に基づき、バックライトにより照射された表示画面に画像を表示する画像表示方法において、前記入力画像信号を輝度信号成分及び色差信号成分の画像信号に変換し、前記輝度信号成分を強調してＲＧＢ形式の画像信号に逆変換し、前記逆変換後の画像信号により前記表示画面に画像を表示して、前記バックライトの光量を下げることを特徴とする。
【００１２】
本発明によれば、入力画像信号中の輝度信号成分の強調によって、画面の見かけ上の明るさを損なうことなくバックライトの光量を下げることにより、画像表示装置の低消費電力化を達成することができる。
【００１３】
【発明の実施の形態】
（第１の実施の形態）
以下に、本発明の第１の実施の形態を、図１乃至図４を参照して説明する。図１は、本発明の第１の実施の形態に係る画像表示装置の系統図である。図１において、１は制御部であって、例えばマイクロプロセッサにより構成される。２は変換部、３は輝度強調部、４は逆変換部であり、これらはメモリ又は演算処理プロセッサにより構成される。５はマルチプレクサである。６は表示すべき画像の情報をフレーム単位で読み書きするフレームメモリであって、通常２系統を備え、一方に書き込みつつ他方から読み出せるように構成される。
【００１４】
次に、７はＬＣＤ（液晶）モジュールであり、バックライト照射形の表示デバイスとしては最も一般的なものである。８は表示制御部で、ハードウェア構成上は制御部１に含めてもよい。また、９はバックライトモジュール、１０はバックライト用電源である。
【００１５】
図２は、図１に系統図を示した画像表示装置を本体に内蔵した電子機器の一例である携帯無線通信装置の系統図である。図中、符号１乃至１０は図１と共通であるので、説明を省略する。１１はアンテナである。１２は無線部であって、送信部と受信部から構成される。１３は変復調部、１４は音声符号化及び符号化音声の解読を行うボコーダ部、１５はアナログ−デジタル間及び音声−電気信号間の変換を行うＡＤ／ＤＡ・音声／電気変換部、１６は受話器、１７は送話器である。また、１８は操作入力部、１９はバッテリーを含む電源部である。なお、符号１１乃至１９は、携帯無線通信装置の構成に一般的に含まれるものである。
【００１６】
さらに図３及び図４を参照して、本発明の第１の実施の形態における各部の動作及び処理の流れについて説明する。図３は、本発明の第１の実施の形態のフローチャートである。なお、図３に示した処理の開始に先立って、制御部１はＬＣＤモジュール７に表示すべき画像を表すＲＧＢ形式の画像信号を出力することができる状態にあり、かつ、操作入力部１８を介して行われたバックライトモジュール９の光量についての設定操作（通常値のモード又は通常値よりも小さい値の省電力モードのいずれかの選択）の内容を保持しているものと想定する。
【００１７】
処理を開始すると、制御部１はバックライトモジュール９の光量についての設定操作の内容を確認し、「省電力モード」が選択されている場合には（ステップＳ１の“ＹＥＳ”）、光量が省電力モード値に一致するように、バックライト用電源１０を制御する（ステップＳ２）。また、ＬＣＤモジュール７に表示すべきＲＧＢ形式の画像信号を変換部２に対して出力する。変換部２は、制御部１から入力されたＲＧＢ形式の画像信号を、例えばＩＴＵ−Ｒ  ＢＴ６０１の規定に基づく次の変換式によって、輝度信号成分Ｙ及び色差信号成分Ｃｂ、Ｃｒにより表現された形式の画像信号に変換する（ステップＳ３）。以下にその変換式を示す。
【００１８】
Ｙ＝０．２５７Ｒ＋０．５０４Ｇ＋０．０９８Ｂ＋１６
Ｃｒ＝−０．１４８Ｒ−０．２９１Ｇ＋０．４３９Ｂ＋１２８
Ｃｂ＝０．４３９Ｒ−０．３６８Ｇ−０．０７１Ｂ＋１２８
変換部２は例えばメモリで構成し、入力されるＲＧＢ形式の画像信号のＲ、Ｇ及びＢの値の組合せに一意に対応するアドレスに、予め書き込まれたＹ、Ｃｂ及びＣｒの値を読み出すようにして実現することができる。この方法はハードウェアによる処理であるから、高速に行うことができる。また、処理速度の面で問題がなければ、制御部９又は専用の演算処理プロセッサを用いて、ソフトウェア処理により実現することも可能である。
【００１９】
変換部２における処理に続いて、輝度強調部３において、輝度信号成分Ｙを強調する補正処理が行われる（ステップＳ４）。この処理は、例えばディスプレイに対する入力電圧と表示の明るさとの関係を補正するために用いられるガンマ補正に類似の方法によって、実現することができる。図４は、本発明の第１の実施の形態における輝度強調部３の入出力特性を、図中の曲線によって表す図である。図の横軸は輝度強調部３に対する入力レベルを、縦軸は輝度強調部３の出力レベルを表す。破線で表された直線は、輝度補正を行わない場合の直線的な入出力特性を参考のため表したものである。
【００２０】
ここで、輝度強調部３に“Ｙ１”値の輝度信号が入力されると、輝度強調部３からは、輝度補正を行わない場合の“Ｙ１”値ではなく、それよりも大きい“Ｙ１ｃ”値が出力される。すなわち、輝度強調部３における輝度補正によって“Ｙ１ｃ−Ｙ１”に相当する輝度の向上が得られるので、これに相当する分だけバックライト９の光量を下げても、画面の見かけ上の明るさは変化しないことになる。
【００２１】
輝度強調部３は例えばメモリで構成し、入力輝度信号の値（Ｙ１）に対応するアドレスに、予め書き込まれた出力輝度信号の値（Ｙ１ｃ）を読み出すようにして実現することができる。この方法はハードウェアによる処理であるから、高速に行うことができる。また、処理速度の面で問題がなければ、制御部９又は専用の演算処理プロセッサを用いて、ソフトウェア処理により実現することも可能である。
【００２２】
輝度強調部３の出力である輝度信号成分Ｙが強調された画像信号は、次に逆変換部４において、ＬＣＤモジュール７に表示するために再びＲＧＢ形式で表現された画像信号に変換される（ステップＳ５）。この場合の変換式は、変換部２において用いた変換式をＲ、Ｇ、Ｂについて解いて次のように表される。
【００２３】
Ｒ＝１．１６４（Ｙ−１６）＋１．５９６（Ｃｒ−１２８）
Ｇ＝１．１６４（Ｙ−１６）―０．３９１（Ｃｂ−１２８）−０．８１３（Ｃｒ−１２８）
Ｂ＝１．１６４（Ｙ−１６）＋２．０１８（Ｃｂ−１２８）
逆変換部４は例えばメモリで構成し、入力される画像信号のＹ、Ｃｂ、Ｃｒの値の組合せに一意に対応するアドレスに、予め書き込まれたＲ、Ｇ及びＢの値を読み出すようにして実現することができる。この方法はハードウェアによる処理であるから、高速に行うことができる。また、処理速度の面で問題がなければ、制御部９又は専用の演算処理プロセッサを用いて、ソフトウェア処理により実現することも可能である。逆変換部４のＲＧＢ形式の画像信号出力は、マルチプレクサ５に入力される。
【００２４】
次にステップＳ１に戻って、バックライトモジュール９の光量についての設定操作の内容が「通常値のモード」の選択である場合について説明する。この場合、制御部１は、バックライトモジュール９の光量が通常値に一致するように、バックライト用電源１０を制御する（ステップＳ６）。また、制御部１は、ＬＣＤモジュール７に表示すべきＲＧＢ形式の画像信号を、直接マルチプレクサ５に対して出力する。
【００２５】
そして、制御部１からの選択信号によってマルチプレクサ５は、バックライトモジュール９の光量についての設定操作の内容が「通常値のモード」の設定になっている場合には制御部１から出力されるＲＧＢ形式の画像信号を選択出力し、「省電力モード」になっている場合には逆変換部４の出力である輝度信号成分が強調されたＲＧＢ形式の画像信号を選択出力する（ステップＳ７）。
【００２６】
マルチプレクサ５の出力であるＲＧＢ形式の画像信号は、画像表示における通常の方法により、表示制御部８の制御の下にフレームメモリ６に書き込まれた後、ＬＣＤモジュール７の駆動と同期して読み出され、ＬＣＤモジュール７の画面上に画像として表示される（ステップＳ８）。この際、バックライトモジュール９の光量は上述したように表示される画像信号の輝度強調の有無に応じて上げ下げの制御がされており、どちらの場合も見かけ上の画面の明るさは変らない。すなわち、制御部１は画像信号の輝度強調の有無に応じてバックライト用電源１０の電圧を上げ下げして、バックライトモジュール９の光量を制御する。
【００２７】
本発明の第１の実施の形態によれば、画像信号中の輝度信号成分を強調することにより、見かけ上の画面の明るさを損なわずにバックライトの光量を下げ、画像表示装置の消費電力を低減させることができる。なお、輝度成分以外の画像信号成分を操作するものではないので、総合的な画質の意味でも輝度強調を行う場合と行わない場合とで基本的に差はないが、画質の総合的な評価は他の技術的要因（例えばＬＣＤモジュール７の画素ごとの不均一性）や見る人の主観にも左右されるため、総合的に見て輝度強調を行わない方が画質の意味では適当であると考えられる場合には、画質又は消費電力のいずれを優先するかによって選択することができる。
【００２８】
なお以上の説明は、ＬＣＤモジュール以外のバックライト照射形表示デバイスを用いる画像表示装置及び携帯無線通信装置以外の電子機器にも当てはまることは自明である。また、画像信号の変換式はここで述べたものに限らない。
【００２９】
（第２の実施の形態）
次に、本発明の第２の実施の形態を、図５及び図６を参照して説明する。本発明の第１の実施の形態においては、上記のように画質又は消費電力のいずれを優先するかによって選択する必要がある場合に、輝度強調の有無による選択とした。本発明の第２の実施の形態は、以下に述べるように、さらに複数の輝度強調が選択できるようにしたものである。
【００３０】
図５は、本発明の第２の実施の形態に係る画像表示装置の系統図である。図中、第１の実施の形態における構成と同一であるものは、図１と共通の符号により示している。５１は入力信号を選択された分配先へ出力するデマルチプレクサである。３１乃至３３は、それぞれ輝度強調部Ａ乃至輝度強調部Ｃであって、第１の実施の形態における輝度強調部３と同様にして実現することができる。なお後で説明するように、輝度強調部Ａ３１乃至輝度強調部Ｃ３３は輝度信号成分の強調の程度を互いに異にするものである。なお、図５においては分配数を仮に４としているが、むろんこれに限るものではない。
【００３１】
５２はマルチプレクサで、第２の実施の形態においては、輝度強調部Ａ３１乃至輝度強調部Ｃ３３の各出力信号及びデマルチプレクサ５１から直接出力された出力信号から、１を選択して出力するものである。
【００３２】
また、図６は図５に系統図を示した画像表示装置を本体に内蔵した電子機器の一例である携帯無線通信装置の系統図である。図中、符号１１乃至１９は図２と共通であり、それ以外のものは図５と共通であるので、それらの説明は省略する。
【００３３】
ここで、輝度強調部Ａ３１乃至輝度強調部Ｃ３３の入出力特性は、図７において図中の曲線によって表されている。図中の直線Ｃ０は輝度強調を行わない場合の直線的な入出力特性を表し、曲線Ｃ１乃至Ｃ３はそれぞれ輝度強調部Ａ３１乃至輝度強調部Ｃ３３の入出力特性を表す。輝度強調の程度は、Ｃ３が最も大きく、以下、Ｃ２、Ｃ１の順に小さくなり、Ｃ０ではまったく輝度強調がされない。
【００３４】
次に図５乃至図７を参照して、本発明の第２の実施の形態に係る画像表示装置の動作について説明する。制御部１は、操作入力部１８を介して行われたバックライトモジュール９の光量についての設定操作に基づき、デマルチプレクサ５１及びマルチプレクサ５２のチャネルを選択制御する。例えば、変換部部２からの画像信号をデマルチプレクサ５１によって輝度強調部Ｂ３２に選択入力すると、その輝度強調部Ｂ３２によって輝度強調された画像信号がマルチプレクサ５２から選択され、逆変換部４へ出力されるよう選択制御される。
【００３５】
このようにして、輝度強調されない場合も含めて４段階に分けて輝度強調された画像信号のいずれか１が選択され、逆変換部４に入力される。また、制御部１は同時に、バックライトモジュール９の光量を段階的に切り換えて設定するように、バックライト用電源１０を制御する。
【００３６】
つまり、輝度強調の入出力特性Ｃ０が選択されたときは、通常の光量とし、以下Ｃ１、Ｃ２、Ｃ３が選択される順にバックライトモジュール９の光量を下げるようにする。このようにしても、画像信号中の輝度信号成分が光量低下に見合うように強調されているので、画面の見かけの明るさは変らない。
【００３７】
逆変換部４の動作は、第１の実施の形態におけるのと同様であるのでその説明を省略する。第１の実施の形態においては、輝度強調された画像信号とされない画像信号を、逆変換部４の後段のマルチプレクサ５で選択するものとしたが、第２の実施の形態においては輝度強調されない画像信号も選択肢に含めて既にマルチプレクサ５２において選択されているため、逆変換部４の出力をそのままフレームメモリ６に入力する。これ以降の、画像がＬＣＤモジュール７の画面上に表示されるまでの動作は、第１の実施の形態におけるのと同様であるのでその説明を省略する。
【００３８】
本発明の第２の実施の形態によれば、第１の実施の形態におけるよりも、消費電力と画面の見やすさとの兼ね合いで選択することができる幅が広がるので、一層利便性を高めることができる。
【００３９】
なお以上の説明は、ＬＣＤモジュール以外のバックライト照射形表示デバイスを用いる画像表示装置及び携帯無線通信装置以外の電子機器にも当てはまることは自明である。
【００４０】
（第３の実施の形態）
最後に、本発明の第３の実施の形態を、図８を参照して説明する。本発明の第３の実施の形態は、以下に述べるように、第２の実施の形態の回路構成を小さくするように設計したものである。
【００４１】
図８は、本発明の第３の実施の形態に係る画像表示装置の系統図である。図中、３５は演算処理プロセッサにより実現された輝度強調部であって、図５のマルチプレクサ５１、輝度強調部Ａ３１乃至輝度強調部Ｃ３３及びマルチプレクサ５２が実現する機能と同じ機能をソフトウェア処理により実現する。その他の構成は、図５と共通であるので説明を省略する。
【００４２】
本発明の第３の実施の形態によれば、第２の実施の形態におけるのと同じ効果を、より小さい回路規模で実現することができ、また、輝度強調の程度（入出力特性）の変更も可能であって、利用上の柔軟性が高いという副次的な効果が得られる。
【００４３】
【発明の効果】
本発明によれば、画像表示装置のバックライトの光量を下げても画面の見かけ上の明るさが低下しないので、消費電力を低減させることができる。
【図面の簡単な説明】
【図１】本発明の第１の実施の形態に係る画像表示装置の系統図。
【図２】本発明の第１の実施の形態に係る携帯無線通信装置の系統図。
【図３】本発明の第１の実施の形態に係るフローチャート。
【図４】本発明の第１の実施の形態に係る輝度強調部の入出力特性
【図５】本発明の第２の実施の形態に係る画像表示装置の系統図。
【図６】本発明の第２の実施の形態に係る携帯無線通信装置の系統図。
【図７】本発明の第２の実施の形態に係る輝度強調部の入出力特性
【図８】本発明の第３の実施の形態に係る画像表示装置の系統図。
【符号の説明】
１  制御部
２  変換部
３  輝度強調部
４  逆変換部
５  マルチプレクサ
６  フレームメモリ
７  ＬＣＤモジュール
８  表示制御部
９  バックライトモジュール
１０  バックライト用電源
１１  アンテナ
１２  無線部
１３  変復調部
１４  ボコーダ部
１５  ＡＤ／ＤＡ・音声／電気変換部
１６  受話器
１７  送話器
１８  操作入力部
１９  電源部
３１  輝度強調部Ａ
３２  輝度強調部Ｂ
３３  輝度強調部Ｃ
３５  輝度強調部
５１  デマルチプレクサ
５２  マルチプレクサ
【図１】
2004246099.tif 000003
【図２】
2004246099.tif 000004
【図３】
2004246099.tif 000005
【図４】
2004246099.tif 000006
【図５】
2004246099.tif 000007
【図６】
2004246099.tif 000008
【図７】
2004246099.tif 000009
【図８】
2004246099.tif 000010